【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
カラー印刷物を生成するための関連する感光体上のカラートナー画像内の関連する色分解を生成するカラー画像形成装置であって、
第１の定着光沢レベルを有する第１のトナーが配置される第１のタンクであって出口開口を有する前記第１のタンクを構成する取り外し可能な第１の補給容器、前記第１のトナーより高い光沢の第２の定着光沢レベルを有する第２のトナーが配置される第２のタンクであって出口開口を有する前記第２のタンクを構成する取り外し可能な第２の補給容器、前記第１のタンク内に配置され、制御によって前記第１のトナーを前記第１のタンクの前記出口開口から外に移動させる第１のオーガコンベア、及び前記第２のタンク内に配置され、制御によって前記第２のトナーを前記第２のタンクの前記出口開口から外に移動させる第２のオーガコンベアを含むデュアル補給装置組立体と、
前記関連する感光体に隣接して配置され、前記関連する感光体に付着させるための前記第１のトナー及び前記第２のトナーを受け取る収納室を有する現像装置と、
前記第１のオーガコンベア及び前記第２のオーガコンベアの回転を独立して制御し、それによって前記現像装置に分配される前記第１のトナー及び前記第２のトナーの相対量を調整する制御装置と、
を含むカラー画像形成装置。
【請求項２】
前記第１のオーガコンベアに接続し、前記第１のオーガコンベアを回転させるために前記制御装置により制御される第１のアクチュエータと、
前記第２のオーガコンベアに接続し、前記第２のオーガコンベアを回転させるために前記制御装置により制御される第２のアクチュエータと、をさらに含む請求項１に記載のカラー画像形成装置。
【請求項３】
カラー印刷物を生成するための関連する感光体上のカラートナー画像内の関連する色分解を生成するカラー画像形成装置であって、
第１の定着光沢レベルを有する第１のトナーが配置される取り外し可能な第１の補給容器、前記第１のトナーより高い光沢の第２の定着光沢レベルを有する第２のトナーが配置される取り外し可能な第２の補給容器、及び中間分配組立体を含み、前記中間分配組立体が、前記第１の補給容器及び前記第２の補給容器と前記現像装置との間に配置される収納室であって、前記第１のトナーが配置され出口開口を有する第１のタンクと、前記第２のトナーが配置され出口開口を有する第２のタンクと、前記第１のタンクと前記第２のタンクとを隔てる中央壁とを有する収納室と、前記第１のタンク内に配置され、制御によって前記第１のトナーを前記第１のタンクの前記出口開口から外に移動させるように構成された第１のオーガコンベアと、前記第２のタンク内に配置され、制御によって前記第２のトナーを前記第２のタンクの前記出口開口から外に移動させるように構成された第２のオーガコンベアとを有する、デュアル補給装置組立体を備え、
更に、前記関連する感光体に隣接して配置され、前記関連する感光体に付着させるための前記第１のトナー及び前記第２のトナーを受け取る収納室を有する現像装置を備え、ここで、前記中間分配組立体は、前記第１の補給容器及び前記第２の補給容器と、前記現像装置との間に配置され、
更に、前記第１のオーガコンベア及び前記第２のオーガコンベアの回転を独立して制御し、それによって前記現像装置に分配される前記第１のトナー及び前記第２のトナーの相対量を調整する制御装置を備え
るカラー画像形成装置。
【請求項４】
前記第１のオーガコンベアを含む第１のチャンバと、反対の方向で相互に回転するために、前記第１のオーガコンベアに接続する第３のオーガコンベアを含む第２のチャンバと、を隔てる隔壁を有する前記第１のタンクであって、前記隔壁は、前記第１のタンクの前記第１のチャンバと、第２のチャンバとの間を連結させる第１の開口及び第２の開口を有し、前記収納室は、前記第２のチャンバと連結する第１のタンクの入口開口を有する、前記第１のタンクと、
前記第２のオーガコンベアを含む第１のチャンバと、反対の方向で相互に回転するために、前記第２のオーガコンベアに接続する第４のオーガコンベアを含む第２のチャンバと、を隔てる隔壁を有する前記第２のタンクであって、前記第１の隔壁は、前記第２のタンクの前記第１のチャンバと第２のチャンバとの間を連結させる第１の開口及び第２の開口を有し、前記収納室は前記第２のタンクの前記第２のチャンバと連結する第２のタンクの入口開口を有する、前記第２のタンクと、
前記第１のオーガコンベア及び前記第３のオーガコンベアに接続し、前記第１のオーガコンベア及び前記第３のオーガコンベアを回転させる前記制御装置により制御され、前記第１のトナーを前記現像装置に分配するために、前記第１のトナーを前記入口開口から前記第１のタンク出口開口に移動させる第１のアクチュエータと、
前記第２のオーガコンベア及び第４のオーガコンベアに接続し、前記第２のオーガコンベア及び第４のオーガコンベアを回転させる前記制御装置により制御され、前記第２のトナーを前記現像装置に分配するために、前記第２のトナーを前記入口開口から前記第２のタンクの出口開口に移動させる第２のアクチュエータと、をさらに含む請求項３に記載のカラー画像形成装置。
【請求項５】
複数の現像装置と、
前記複数の現像装置のうちの異なる１つとそれぞれ関連する複数のデュアル補給装置組立体と、を備え
前記制御装置が、各デュアル補給装置組立体の前記第１のオーガコンベア及び前記第２のオーガコンベアの回転を独立して制御し、これにより、関連する各現像装置に分配される、各デュアル補給装置組立体の前記第１のトナー及び前記第２のトナーの相対量を調整する、請求項１に記載のカラー画像形成装置。
【請求項６】
現像装置を有する画像形成装置のためのデュアル補給装置組立体であって、
第１の定着光沢の特性を有する第１のトナーが配置される第１のタンクであって出口開口を有する前記第１のタンクを構成する取り外し可能な第１の補給容器と、
前記第１のトナーより高い光沢の第２の定着光沢の特性を有する第２のトナーが配置される第２のタンクであって出口開口を有する前記第２のタンクを構成する取り外し可能な第２の補給容器と、
前記第１のタンク内に配置され、制御によって前記第１のトナーを前記第１のタンクの前記出口開口から関連する現像装置内に移動させる第１のオーガコンベアと、
前記第２のタンク内に配置され、制御によって前記第２のトナーを前記第２のタンクの前記出口開口から関連する現像装置内に移動させる第２のオーガコンベアと、
を備えるデュアル補給装置組立体。
【請求項７】
現像装置を有する画像形成装置のためのデュアル補給装置組立体であって、
第１の定着光沢レベルを有する第１のトナーが配置される取り外し可能な第１の補給容器と、
前記第１のトナーより高い光沢の第２の定着光沢レベルを有する第２のトナーが配置される取り外し可能な第２の補給容器と、
中間分配組立体と、
そ備え、
前記中間分配組立体が、
前記第１の補給容器及び前記第２の補給容器と前記現像装置との間に配置される収納室であって、前記第１のトナーが配置され出口開口を有する第１のタンクと、前記第２のトナーが配置され出口開口を有する第２のタンクと、前記第１のタンクと前記第２のタンクとを隔てる中央壁とを有する収納室と、
前記第１のタンク内に配置され、制御によって前記第１のトナーを前記第１のタンクの前記出口開口から外に移動させるように構成された第１のオーガコンベアと、
前記第２のタンク内に配置され、制御によって前記第２のトナーを前記第２のタンクの前記出口開口から外に移動させるように構成された第２のオーガコンベアと、
を有する、デュアル補給装置組立体。
【請求項８】
前記第１のオーガコンベアを含む第１のチャンバと、反対の方向で相互に回転するために、前記第１のオーガコンベアに接続する第３のオーガコンベアを含む第２のチャンバと、を隔てる隔壁を有する前記第１のタンクであって、前記隔壁は、前記第１のタンクの前記第１のチャンバと、第２のチャンバとの間を連結させる第１の開口及び第２の開口を有し、前記収納室は、前記第２のチャンバと連結する第１のタンクの入口開口を有する、前記第１のタンクと、
前記第１のオーガコンベアを含む第１のチャンバと、反対の方向で相互に回転するために、前記第２のオーガコンベアに接続する第４のオーガコンベアを含む第２のチャンバと、を隔てる隔壁を有する前記第２のタンクであって、前記第１の隔壁は、前記第２のタンクの前記第１のチャンバと第２のチャンバとの間を連結させる第１の開口及び第２の開口を有し、前記収納室は前記第２のタンクの前記第２のチャンバと連結する第２のタンクの入口開口を有する、前記第２のタンクと、
前記第１のオーガコンベア及び前記第３のオーガコンベアに接続し、前記第１のオーガコンベア及び前記第３のオーガコンベアを回転させる前記制御装置により制御され、前記第１のトナーを前記現像装置に分配するために、前記第１のトナーを前記入口開口から前記第１のタンク出口開口に移動させる第１のアクチュエータと、
前記第２のオーガコンベア及び第４のオーガコンベアに接続し、前記第２のオーガコンベア及び第４のオーガコンベアを回転させる前記制御装置により制御され、前記第２のトナーを前記現像装置に分配するために、前記第２のトナーを前記入口開口から前記第２のタンクの出口開口に移動させる第２のアクチュエータと、をさらに含む請求項７に記載のデュアル補給装置組立体。
【請求項９】
乾式複写方式の画像形成装置においてカラー印刷物を形成する方法であって、
第２のタンク内の第２のオーガコンベア及び第４のオーガコンベアとは独立して、第１のタンク内の第１のオーガコンベア及び第３のオーガコンベアの回転を制御することによって、前記第１のタンクからの第１のトナー及び前記第２のタンクからの第２のトナーの現像装置への分配を制御するステップであって、前記第１のトナーは第１の定着光沢のレベルを有し、前記第２のトナーは、前記第１の定着光沢レベルより高い第２の定着光沢のレベルを有し、前記現像装置内の前記トナーの光沢レベルの可変制御を提供する、ステップと、
前記現像装置内の前記トナーを用いて感光体上にトナー画像を現像するステップと、
前記トナー画像を下地上に定着させてカラー画像の印刷物を形成するステップと、を含む方法。
【請求項１０】
前記第２のタンク内の前記第２のオーガコンベア及び前記第４のオーガコンベアとは独立して、前記第１のタンク内の前記第１のオーガコンベア及び前記第３のオーガコンベアの回転を制御することによって、前記第１のタンクからの前記第１のトナー及び前記第２のタンクからの前記第２のトナーの、複数の異なる色分解に関して対応する現像装置への分配を制御するステップであって、異なる色分解ごとの前記現像装置内の前記トナーの光沢レベルの可変制御を提供する、ステップと、
前記現像装置内の前記トナーを用いて感光体上にトナー画像を現像するステップと、
前記トナー画像を下地上に定着させて、カラー画像の印刷物を形成するステップと、
をさらに含む請求項９に記載の方法。